(57)【要約】【課題】平坦な物品（Ｐ）の周辺端部を梱包する効率的かつコンパクトな枠部材を提供する。【解決手段】枠部材は少なくとも１つの第一プロファイル部（１）および１つの第二プロファイル部（２）を含み、上記第一プロファイル部（１）および上記第二プロファイル部（２）は、可撓ヒンジ（３）で長手方向に接続され、２つの切欠き歯列（１１、１２、２１、２２）によって横方向の境界を定められた上記物品を受けるための軸方向溝（１０、２０）をそれぞれ備えている。上記ヒンジ（３）に隣接する、上記プロファイル部の対応する切欠き歯（１２ａ、２２ａ）には、上記プロファイル部の対応する溝（１０、２０）が保護対象の物品の端部に向き合うように開口する相対的な角度位置で、２つのプロファイル部（１、２）を確実に位置決めする接触止め部が設けられている。【選択図】図１
2013233997.tif 000002
【特許請求の範囲】
【請求項１】
平坦な物品（Ｐ）を梱包する枠部材において、
少なくとも１つの第一プロファイル部（１）と少なくとも１つの第二プロファイル部（２）とを含み、
前記第一プロファイル部（１）および前記第二プロファイル部（２）は、単一の同一片上に形成されて、可撓ヒンジ（３）により長手方向に接続されており、２つの切欠き歯列（１１、１２、２１、２２）によって横方向の両側の境界が定められた、前記物品を受けるための軸方向溝（１０、２０）をそれぞれ備え、
前記ヒンジに隣接する、前記両プロファイル部の対応する前記切欠き歯（１２ａ、２２ａ）には、前記プロファイル部の対応する溝（１０、２０）が保護対象の前記物品の端部に向き合うように開口する相対的な角度位置で、前記２つのプロファイル部（１、２）を確実に位置決めする接触止め部が設けられていることを特徴とする枠部材。
【請求項２】
請求項１に記載の枠部材において、
前記切欠き歯（１１、１２、２１、２２）は、前記第一プロファイル部と前記第二プロファイル部とを連結することによって逆向きに頭−尾（ｈｅａｄ−ｔｏ−ｔａｉｌ）対向で重畳されるように構成され、かつ位置決めされていることを特徴とする枠部材。
【請求項３】
請求項１または２に記載の枠部材において、
前記第一プロファイル部（１）の前記切欠き歯列の一方の切欠き歯列（１２）は、横方向肩部（１２２）によって横方向外向きに延設された直線壁を伴う内側の突起（１２１）で構成されることを特徴とする枠部材。
【請求項４】
請求項１〜３のいずれか一項に記載の枠部材において、
前記第二プロファイル部（２）の前記２つの切欠き歯列の一方の切欠き歯列（２２）は、えぐり部（２２１）によって内向きに延設される外側平坦部（２２２）によって隔てられていることを特徴とする枠部材。
【請求項５】
請求項１〜４のいずれか一項に記載の枠部材において、
前記第一プロファイル部（１）の前記２つの切欠き歯列の少なくとも一方の切欠き歯列（１２）には、複数の下部緩衝小室（１４）が設けられていることを特徴とする枠部材。
【請求項６】
請求項１〜５のいずれか一項に記載の枠部材において、
前記第二プロファイル部（２）には、緩衝用に長手方向の下部空洞（２４）が１つ設けられていることを特徴とする枠部材。
【請求項７】
請求項１〜６のいずれか一項に記載の枠部材において、
連結されたプロファイル部を２つ以上含むことを特徴とする枠部材。
【請求項８】
請求項１〜７のいずれか一項に記載の枠部材において、
前記接触止め部は、前記ヒンジ（３）の両側で、前記第１プロファイル部および前記第２プロファイル部の隣接する内側端に延設された傾斜面（１３、２３）によって形成されていることを特徴とする枠部材。
【請求項９】
請求項１〜８のいずれか一項に記載の枠部材において、
前記接触止め部を係止する係止部材を含むことを特徴とする枠部材。
【請求項１０】
請求項４および９に記載の枠部材において、
前記係止部材は好ましくは、前記第二プロファイル部に支持された突出部で構成され、該突出部の前記第一プロファイル部（１）に向いた面（２３ａ）が、隣接した前記切欠き歯（１２ａ）の前記外側の横方向肩部（１２２ａ）に当接する一方で、この肩部（１２２ａ）の横方向内側の対応する前記突起（１２１）は、対向する第二プロファイル部（２）の前記えぐり部（２２１）に収容されることを特徴とする枠部材。
【請求項１１】
請求項１〜１０のいずれか一項に記載の枠部材において、
前記切欠き歯（１１、１２、２１、２２）は三角形の歯の形状に作られていることを特徴とする枠部材。
【請求項１２】
請求項１〜１１のいずれか一項に記載の枠部材において、
前記可撓ヒンジ（３）は、前記２つのプロファイル部（１、２）を少なくとも背面に向かって、互いに１８０°の角度で折り曲げ可能に設定されていることを特徴とする枠部材。
【請求項１３】
請求項１〜１２のいずれか一項に記載の枠部材において、
前記２つのプロファイル部（１、２）の内面の形状は、前記プロファイル部が前記背面に向かって１８０°折り曲げられた後、互いに連結または押し付け可能なように相補形であることを特徴とする枠部材。
【請求項１４】
請求項１〜１３のいずれか一項に記載の枠部材を１つまたは複数結合して作られた、平坦な物品（Ｐ）を梱包するための包装材。
【発明の詳細な説明】
【技術分野】
【０００１】
本発明は、平坦な物品を梱包するための枠部材および該部材を結合することによって得られる包装材料に関する。
【０００２】
本発明はとりわけ、略平坦な物品または製品を保管および／または運送するときに、該物品または該製品を保護する枠の全体または一部を形成するように設計された部材に関する。
【０００３】
平坦な物品とは、厚さ寸法が他の寸法に比べて特に小さい製品を指す。
【０００４】
上記物品は、概して平行六面体、円筒形、多角形、またはその他の複雑な形状を有してもよい。
【０００５】
上記枠部材は、具体的にはフラットスクリーンテレビ、ガラスパネル、絵画など、平坦かつ壊れやすい製品や機器を梱包および配送する目的で、特に物流の分野において利用可能である。
【背景技術】
【０００６】
一般的には、大型の平坦な物品は木箱や段ボール箱などの容器に梱包され、該物品は該容器内においてシムで固定され、ハニカム材料（ポリスチレン）の粒子（ペレットまたはビーズ）や繊維を、任意で他の包装部材と組合せることによって衝撃から保護される。
【０００７】
しかし、こうした保護手段は相当な量の相異なる部材および相異なる材料を使用することを意味し、それらの梱包場所への運送と使用後の管理の両方において、嵩の問題、リサイクルの問題、ひいてはコストの問題を引き起こす。
【発明の概要】
【発明が解決しようとする課題】
【０００８】
本発明は、こうした平坦な物品の厚い部分を効率的かつコンパクトに覆い、保護することを可能にする解決策を提案することによって、上記の技術的な問題を満足のいくやり方で解決することを目的とする。
【課題を解決するための手段】
【０００９】
この目的は、平坦な物品を梱包する枠部材を用いた本発明によって達成される。上記枠部材は少なくとも１つの第一プロファイル部と少なくとも１つの第二プロファイル部とを含み、上記第一プロファイル部および上記第二プロファイル部は単一の同一片上に形成されて、可撓ヒンジにより長手方向に接続されており、２つの切欠き歯（ハッチ）列によって横方向の両側の境界が定められた、上記物品を受けるための軸方向溝をそれぞれ備える。上記ヒンジに隣接する、上記プロファイル部の対応する上記切欠き歯には、上記プロファイル部の対応する溝が保護対象の上記物品の端部に向き合うように開口する相対的な角度位置で、上記２つのプロファイル部を確実に位置決めする接触止め部が設けられている。
【００１０】
本発明の１つの有利な構成によれば、上記切欠き歯は、上記第一プロファイル部と上記第二プロファイル部とを連結することによって逆向きに頭−尾（ｈｅａｄ−ｔｏ−ｔａｉｌ）対応の形で重畳されるように構成され、かつ位置決めされる。
【００１１】
本発明の別の有利な構成によれば、上記第一プロファイル部の上記２つの切欠き歯列の一方の切欠き歯列は、横方向肩部によって横方向外向きに延設される直線壁を伴う内側の突起で構成される。
【００１２】
本発明の１つの有利な代替形態によれば、上記第二プロファイル部の上記２つの切欠き歯列の一方は、えぐり部によって内向きに延設される外側平坦部によって隔てられる。
【００１３】
本発明の別の代替形態によれば、上記第一プロファイル部の上記切欠き歯列の少なくとも一方の切欠き歯列には、複数の下部緩衝小室が設けられている。
【００１４】
好ましくは、上記第二プロファイル部には、緩衝用に長手方向の下部空洞が１つ設けられている。
【００１５】
本発明の１つの実施形態によれば、上記枠部材は連結されたプロファイル部を２つ以上含む。
【００１６】
本発明の１つの具体的な代替形態によれば、上記接触止め部は、上記ヒンジの両側で、上記第１プロファイル部および上記第２プロファイル部の互いに隣接する内側端に延設された傾斜面によって形成される。
【００１７】
別の代替形態によれば、本発明に係る上記枠部材は上記接触止め部を係止する手段を含む。
【００１８】
上記係止する手段は好ましくは、上記第二プロファイル部に支持された突出部で構成され、該第二プロファイル部（２）の上記第一プロファイル部に向いた面が、直近の隣接した上記切欠き歯の上記外側の横方向肩部に当接する一方で、この肩部の横方向内側の対応する上記突起は、対向する第二プロファイル部（２）の上記えぐり部に収容される。
【００１９】
本発明のさらに別の特定の実施形態によれば、上記切欠き歯は三角形の歯の形状に作られる。
【００２０】
上記枠部材の保管と運送を容易にするために設計された本発明のさらに別の代替形態によれば、上記可撓ヒンジは、上記２つのプロファイル部を少なくとも背面に向かって、互いに１８０°の角度で折り曲げ可能なように設計される。
【００２１】
その場合、上記２つのプロファイル部の内面の形状は、上記プロファイル部が上記背面に向かって１８０°折り曲げられた後、互いに連結または押し付け可能なように相補形である。
【００２２】
本発明の別の目的は、上記枠部材を１つまたは複数結合して作られた、平坦な物品を梱包するための包装材である。
【発明の効果】
【００２３】
本発明に係る枠部材は、平坦な形状と壊れやすさのために、製造者、運送業者、使用者および消費者にとって取り扱いおよび配送作業が困難で、神経を使う製品を対象に、人間工学に基づいた、費用対効果の高い梱包の提供を可能にする。
【００２４】
本発明に係る枠部材は一体成形の単純構造を有し、該枠部材の製造および配置は工業的に容易である。
【００２５】
この枠部材は物品の周辺端部に取り付けることでそのまま使用できる。または、該枠部材を容器と結合して外側の筐体を形成し、梱包対象の物品の性質によっては任意でシールおよび密閉してもよい。
【００２６】
この部材の構造は、物品の厚い部分に対して取り外し可能に固定することで自己支持をなし、かつ大幅な変更を必要とせずに、さまざまなサイズおよびタイプの平坦な物品に適合される。
【００２７】
シムを入れて物品を支持するだけでなく、梱包された物品を損傷から守ることを可能にする、枠自体が保持する専用の手段によって、あらゆる衝撃が大幅に減衰および／または吸収されるため、優れた保護が得られる。
【００２８】
また、特に上記枠部材は一体成形であり、何度も簡単に再利用できることから、材料を大幅に節約できる。最後に、上記枠部材の保管においては、複数の同一部材をコンパクトに連結できることから、特に高い費用効率が得られる。
【００２９】
本発明は、図面と併せて下記の説明を読むことで、よりよく理解されるであろう。
【図面の簡単な説明】
【００３０】
【図１】本発明の枠部材の一実施形態を展開した位置で示した斜視図である。
【図２】図１の枠部材を折り曲げた位置で示した斜視図である。
【図３Ａ】図１および図２の実施形態に係る枠部材２つを積み重ねる前の状態を示した斜視図である。
【図３Ｂ】図３Ａの積み重ねた後の状態を示した斜視図である。
【図４】図１および図２の実施形態に係る枠部材を用いて梱包した平坦な物品の斜視図である。
【図５】（ａ）および（ｂ）はそれぞれ、本発明に係る枠部材の第一プロファイル部の平面図および（ａ）のＡ−Ａ線に沿った横断面図である。
【図６】（ａ）および（ｂ）はそれぞれ、本発明に係る枠部材の第二プロファイル部の平面図および（ａ）のＢ−Ｂ線に沿った横断面図である。
【図７Ａ】本発明の枠部材の代替の実施形態を示した概略斜視図である。
【図７Ｂ】図７Ａの枠部材の折り曲げた状態を示す概略斜視図である。
【発明を実施するための形態】
【００３１】
図に示される枠部材は、自由状態において、長手方向に可撓ヒンジ３で接続されかつ同一幅を有する１つの第一プロファイル部１と１つの第二プロファイル部２とを少なくとも含む、単一の細長片の形状をとる。
【００３２】
プロファイル部１、２はそれぞれ、長手方向に延びた軸方向溝１０、２０を備え、該溝は平坦な物品Ｐ（図４に示される）の周辺端部を平縁のように収容する。
【００３３】
上記枠部材は（発泡スチロールタイプの）変形可能なハニカム材料で作られるのが好ましく、これにより平坦な物品の端部を溝１０、２０に強制的に嵌入させて、押し込みにより枠部材と部品とからなる組立品の良好な機械的強度を確保できる。
【００３４】
上記枠部材の材料の部品Ｐに対する相対的弾力性によって、上記溝における把持および物品Ｐの周囲の平坦面へのプロファイル部１、２の押し付けを強化してもよい。
【００３５】
この溝は各プロファイル部上で横方向に平行した２列のＶ字形の切欠き (ノッチ：notch)１１、１２、２１、２２で構成された側帯部（フランク：flank）によって横方向両側の境界を定められている。図１および図２に示す実施形態では、上記切欠き歯は略三角形の歯の形状に作られている。
【００３６】
しかし、以下に提示する条件下で上記切欠き歯によって複数の部材の重畳が可能となる限り、本発明はこれらの切欠き歯の異なる形状を排除しない。
【００３７】
同様に、図示しない代替形態によれば、端部が非直線である物品の全体または一部に上記部材を取り付けるために、少なくとも１つのプロファイル部が曲がっていてもよい。
【００３８】
ヒンジ３に隣接する２つのプロファイル部１、２の切欠き歯１２ａ、２２ａにはそれぞれ、後述する係止部材に結合する接触止め部が設けられている。
【００３９】
これらの接触止め部は図２に示すように、局所的に角を形成しながら、ここでは互いに９０°で直交して延在する位置で、２つのプロファイル部同士を係合させてロックする。
【００４０】
しかし、梱包対象の平坦な物品の特定の外形およびプロファイル部に適合させて、これらの接触止め部を９０°以外の角度方向で確実に係止させることが可能である。
【００４１】
本発明に係る部材の使用に合致したこの位置で、平坦な物品Ｐの角と端部を枠のように受けるために、プロファイル部１、２の対応する溝１０、２０は、顎の形状で、該角度の内側に向かい、かつ互いに向き合うように開口する。
【００４２】
ヒンジ３は閉じられた状態で、図４に示すように、平坦な物品の角に位置付けられる。より一般的には、本発明に係る枠部材は、ヒンジ３を折り曲げずに該枠部材を平坦な物品Ｐの直線端に沿って縁部材のように取り付けることも可能であり、２つのプロファイル部をそれぞれの対応位置にロックする必要はない。
【００４３】
可撓ヒンジ３は、それ自体は公知のタイプであり、該枠部材の構成材料の薄い領域で構成され、プロファイル部１、２の間の中間位置に位置するのが好ましい。このヒンジによって、２つのプロファイル部を互いに対して、弾性的に折り曲げることが可能となる。
【００４４】
切欠き歯１１、１２、２１、２２は、図３Ａ、図３Ｂに示すように構成し、かつ位置決めすることにより、第一プロファイル部と第二プロファイル部とをかみ合わせてスナップ止めにより連結させることによって、両プロファイル部を逆向きにして頭−尾（head-to-tail）対向方式で重畳可能としている。
【００４５】
第一プロファイル部１の２列の切欠き歯列の一方の切欠き歯列１２は、内側の突起１２１で構成される。各突起１２２は、肩部１２２によって横方向外向きに延設された直線壁を伴なっている（図１、２、５（ａ）および５（ｂ））。一方、第二プロファイル部２の切欠き歯列の一方の切欠き歯列２２は、えぐり部２２１によって第一プロファイル部１の内側に入り込むように内向きに延設された外側平坦部２２２によって隔てられる。２つのプロファイル部１、２の他方の切欠き歯列の切欠き歯１１、２１は図２に示すように、同一である。
【００４６】
第二プロファイル部２のえぐり部２２１の形状は図３Ａ、図３Ｂに示すように、２つの部材を積み重ねるときに第一プロファイル部１と向かい合い、切欠き歯列１２の突起１２１とかみ合わせるようにスナップ止めされることによって、該突起を受けるようになっている。そのために、突起１２１およびえぐり部２２１は、図２に示すように、該部材の第一側部に形成される。
【００４７】
併せて、第一プロファイル部１の肩部１２２は、第二プロファイル部２の平坦部２２２に当接する。この第１の積み重ね方法は非常にコンパクトで、嵩を著しく低減できる。
【００４８】
上記枠部材の別の最適な保管方法を以下に記載する。
【００４９】
上記止め部は、ヒンジ３の両側で、第１プロファイル部１および第２プロファイル部２の互いに隣接する内側端にそれぞれ延設された傾斜面１３、２３によって形成される。上記傾斜面は、図２に示すように、ヒンジが閉じているときに互いに当接するように設計される。
【００５０】
より具体的には、図示された実施形態では、第二プロファイル部２の溝２０は、図１に示すように、第一プロファイル部１の溝１０よりも高い位置に位置する。この構成では、第一プロファイル部１の切欠き歯１１、１２ａの傾斜面１３が、該傾斜面よりも表面が大きい第二プロファイル部２の傾斜面２３と接触する。
【００５１】
上記係止部材は、ここでは図２に示すように、第二プロファイル部２の切欠き歯２２ａ（図１）によって支持された突出部で構成され、該突出部の第一プロファイル部１に向いた面２３ａが、直近の隣接した切欠き歯１２ａの横方向外側の肩部１２２ａに当接する一方で、対応する突起１２１は、反対側のえぐり部２２１に収容される。
【００５２】
上記プロファイル部１の切欠き歯列の少なくとも一方の切欠き歯列（ここでは切欠き歯群１２）には、緩衝を確実に行う複数の下部小室１４が、各切欠き歯１２ａの下方に１つずつ設けられている。第二プロファイル部２には、緩衝用に長手方向の下部空洞２４が１つ設けられている。
【００５３】
図に示される実施形態では、特に図２において、小室１４および空洞２４は２つのプロファイル部１、２の同じ側に作られているが、必要に応じて、該小室および該空洞を両側に設けることも可能である。このように、小室１４および空洞２４は、衝撃時（落下、震動など）に包装物に付随的に伝達される可能性がある運動エネルギーを吸収するための空洞領域を形成することで、物品を無傷の状態に維持する。
【００５４】
必要に応じて、長手方向の空洞２４は人間工学に基づいた収納室としての機能を果たしてもよく、これにより梱包対象の物品の付属品を受けることが可能となる。
【００５５】
図示されない代替形態によれば、該部材は２つ以上のプロファイル部を含む。その場合、該プロファイル部は自転車チェーンのように互いに連結され、物品Ｐを把持することによって、該物品の周囲を隙間なく完全に覆う。
【００５６】
第二プロファイル部２は、図４に示すように、平坦な物品Ｐの下部に取り付け可能であり、その結果、形成される包装物に対して基部を提供する。
【００５７】
そのために、長手方向の空洞２４の端壁は、好ましくは、アーチ形に配され、可能な場合には、より良好な安定性を確保するために補強される。
【００５８】
図７Ａおよび図７Ｂに図示される代替形態では、プロファイル部１、２は簡素化されている。この代替形態では、可撓ヒンジ３はとりわけ、両方向に弾性的に折り曲げ可能なように設定されている。
【００５９】
２つのプロファイル部を閉方向に互いに折り曲げることは、既に記載した。図７Ａおよび図７Ｂは、２つのプロファイル部を背面（図７Ａにおいて矢印で示される開方向）に向かって、互いに１８０°折り曲げることを図示する。１８０°という角度は既に記載した通り、折り曲げを完了するのに必須ではなく、その目的は平坦な物品の角を保護することであった。
【００６０】
しかし、この代替形態では、折り曲げはとりわけ、枠部材自体の梱包および運送を可能にし、容易にするように設計されている。実際に、枠部材の保管、運送、さらに使用場所への配送のために枠部材の嵩を低減するには、図７Ｂに示すように、２つのプロファイル部を折り返して背中合わせとすることは有利である。
【００６１】
その場合、２つのプロファイル部１、２の外面、つまり背面１５、２５は、平坦とする（図７Ａ、図７Ｂ）。あるいは、該プロファイル部の形状は、該プロファイル部が背面に向かって１８０°折り曲げられた後、互いにスナップ止めされる、または背面同士を押し付け合うことが可能なように互いに嵌り合うような相補形とする。
【図１】
2013233997.tif 000003
【図２】
2013233997.tif 000004
【図３Ａ】
2013233997.tif 000005
【図３Ｂ】
2013233997.tif 000006
【図４】
2013233997.tif 000007
【図５】
2013233997.tif 000008
【図６】
2013233997.tif 000009
【図７Ａ】
2013233997.tif 000010
【図７Ｂ】
2013233997.tif 000011
【外国語明細書】
2013233997000001.pdf
2013233997000002.pdf
2013233997000003.pdf
2013233997000004.pdf